【事件の表示】
　平成１０年特許願第３７１０９５号「フィルム剥離方法並びに剥離装置」拒絶査定不服審判事件〔平成１２年　７月１１日出願公開、特開２０００−１９１２０３〕について、次のとおり審決する。
【結　論】
　本件審判の請求は、成り立たない。
【理　由】
１．手続の経緯・本願発明
　本願は、平成１０年１２月２５日の出願であって、その請求項１に係る発明は、平成１６年６月４日付け手続補正書によって補正された明細書および図面の記載からみて、明細書の特許請求の範囲の請求項１に記載される次のとおりのものである。
「基材上に形成された粘着性を有する被保護層を保護するフィルムを、該被保護層から剥離する剥離方法であって、
　フィルムを被保護層から剥離する際に形成される剥離界面を冷却することを特徴とするフィルム剥離方法。」（以下、「本願発明」という）
　
２．刊行物の記載事項              
　当審の拒絶の理由に引用された刊行物である、特開平１０−１９３４６３号公報（以下、「引用例１」という）、には次の事項が記載されている。
（１）引用例１
ａ．請求の範囲には、【請求項１】として、
「透光性支持フィルムに感光性樹脂層が塗布され、更にカバーフィルムを積層してなるフィルムをフィルム原反ロールから巻き出し、フィルム分離部材に沿ってカバーフィルムを透光性支持フィルムから離間する方向に曲げて引張ることによりカバーフィルムを剥してから、前記フィルムを基板搬送面に沿って順次搬送されてくる基板のフィルム張付面に前記感光性樹脂層側を接触させつつ、基板と共に一対のラミネーションロール間に通して、基板に圧着するフィルム張付装置において、
前記フィルム分離部材における、少なくとも前記カバーフィルムの剥離開始点近傍領域を冷却する冷却装置を設けたことを特徴とするフィルム張付装置。」と記載されている。 
ｂ．【０００１】には、【発明の属する技術分野】として、
「この発明は、プリント配線板用基板あるいは液晶表示装置、プラズマ表示装置のガラス基板に例示される基板の表面にフィルムを張付けるためのフィルム張付装置に関する。」と記載されている。
ｃ．【００１０】、【００１１】には、
「前記感光性樹脂層は粘着性があり、カバーフィルムに引張られることによって、透光性支持フィルムから浮き上がる力を受ける。フィルム仮付け部材の待機時間が長く、例えば１０秒以上となると、該感光性樹脂層が浮き上がったままわずかに硬化する。
　このため、該浮き上がり部分が基板に熱圧着されると、基板上で幅方向の筋が発生し、これが後工程での露光時に、露光異常となり、製品不良の原因となってしまうという問題点がある。」と記載されている。
ｄ．【００２１】には、
「このフィルム張付装置１０によって切断して張付けられるフィルム１２は、図２に示されるように、透光性支持フィルム１２Ａ上に感光性樹脂層１２Ｂ及びカバーフィルム１２Ｃが積層された３層構造であり、供給ロール１４に連続的に巻回されている。」と記載されている。 
ｅ．【００２４】には、
「前記フィルム分離部材１６は、図３、４図に拡大して示されるように、フィルム幅方向に長く水平に配置された円形パイプ状部材からなり、その軸方向両端にフィルム分離部材１６内側空間と連通するパイプ状の細径部１６Ａ、１６Ｂが設けられ、該細径部１６Ａ、１６Ｂ位置で、軸受け１６Ｃを介して、支持アーム１７Ａに回転自在に支持されている。」と記載されている。 
ｆ．【００２９】には、
「前記冷却装置１５は、前記ロータリージョイント１５Ｆを含み、ロータリージョイント１５Ａから注入され、フィルム分離部材１６内を通ってこれを冷却した冷却水を、ロータリージョイント１５Ｆから、バルブ１５Ｈを介して冷却水源１５Ｃに環流させるようにされている。この冷却水源１５Ｃは、冷却水を１５〜１７℃の範囲に冷却するようにされている。」と記載されている。
　
　図１〜４および記載事項「ａ〜ｆ」によれば、
　引用例１には、「プリント配線板用基板あるいは液晶表示装置、プラズマ表示装置のガラス基板に例示される基板の表面に、透光性支持フィルム１２Ａ上に感光性樹脂層１２Ｂ及びカバーフィルム１２Ｃが積層された３層構造フィルムを張付けるための方法であって、
フィルム幅方向に長く水平に配置された円形パイプ状部材からなり、その軸方向両端にフィルム分離部材１６に１５〜１７℃の範囲に冷却水を内側空間と連通するパイプ状の細径部１６Ａ、１６Ｂが設けられ、該細径部１６Ａ、１６Ｂ位置で、軸受け１６Ｃを介して、支持アーム１７Ａに回転自在に支持されている分離部材１６により感光性樹脂層の粘着性のために、感光性樹脂層がカバーフィルムに引張られることによって、透光性支持フィルムから浮き上がる力を受けた際に該感光性樹脂層が浮き上がったままわずかに硬化し、そのまま、該浮き上がり部分が基板に熱圧着されると、基板上で幅方向の筋が発生し、これが後工程での露光時に、露光異常となり、製品不良となることを防ぎ、フィルム分離部材における、少なくとも前記カバーフィルムの剥離開始点近傍領域を冷却する方法。」の発明（以下、「引用例１の発明」という）が記載されている。
　
３．対比・判断
（１）本願発明と引用例１の発明とを対比すると、
　引用例１の発明の、「透光性支持フィルム１２Ａ」、「粘着性を有する感光性樹脂層」、「カバーフィルム１２」、「分離」は、本願発明の、「基材」、「粘着性を有する被保護層」、「保護するフィルム」、「剥離」に相当するから、両者は、
「基材上に形成された粘着性を有する被保護層を保護するフィルムを、該被保護層から剥離する剥離方法であって、
　フィルムを被保護層から剥離する際に形成される面を冷却することを特徴とするフィルム剥離方法。」で一致し、以下の点で相違している。
　
　相違点１：本願発明では、「フィルムを被保護層から剥離する際に形成される冷却」部が「剥離界面」であるのに対し、引用例１の発明では、「保護するフィルムの剥離開始始点近傍領域」としか記載されていない点。
　　以下、相違点について検討する
　
　相違点１に対して、
　請求人は、審判請求書において、『「剥離界面」という限られた領域を定義していることによって、引用発明と相違する。』と主張しているが、本願発明の【図面の簡単な説明】の図７に、「本発明の実施の一形態の剥離装置を備えた転写装置の他の構成」との記載が、
また、【００４１】に、
「尚、本実施の形態にかかる剥離装置においては、剥離ガイド５における所定位置に冷却管８を設ける代わりに、図７に示すように、剥離ガイド５に近接した所定位置に、剥離界面Ａ近傍の積層体２０を直接的に冷却する冷却管（界面冷却手段）９を設けてもよい。該冷却管９は、冷却管８と同一の構成とすればよい。この場合においても、上記種々の効果を奏することができる剥離方法、並びに、剥離装置を提供することができる。」との記載があるように、
図３の剥離界面Ａを冷却することのみに限らず、剥離界面に至った時点」で冷却がなされていさえすれば、本願発明の作用効果を奏しうることは、当業者に自明の事項である。
　したがって、特に冷却する場所を「剥離界面」と限定することは、当業者が必要に応じて適宜なしえた事項である。
　　                      
４．むすび
　上記のとおり、本願発明は、引用例１に記載の発明に基づいて当業者が容易に発明をすることができたものであるから、本願は、特許法第２９条第２項の規定により特許を受けることができない。
　それゆえ本願は、拒絶されるべきものである。
　よって、結論のとおり審決する。